(57)【特許請求の範囲】
【請求項１】
骨を固定するための整形外科手術で使用するインプラントシステム（１０）であって、
長手軸（４４）を画定する近位部（２０；７８）と、遠位部（２２）と、横穴（２６）とを有し、前記近位部（２０；７８）が、第１の軸（６８）を画定する穴（４６；８４）と、第２の軸（７０）を画定する案内構造（４８）とを有し、前記第１の軸（６８）および前記第２の軸（７０）が、前記近位部（２０；７８）の前記長手軸（４４）に対して略平行でありかつ互いに離間されている髄内釘（１２）と、
前記髄内釘（１２）の前記近位部（２０；７８）内に移動可能に配置されるように構成された結合ユニット（１４；１１０）であって、略円筒形のピン（５６）と、貫通穴（６０；１０６）を有する駆動部材（５８；９４）とを有する結合ユニット（１４；１１０）とを備え、
前記案内構造（４８）は、前記ピン（５６）が、前記髄内釘（１２）の前記横穴（２６）を貫通するように構成された骨留め具（１６）の溝（３４）内に係合可能なように、前記略円筒形のピン（５６）を摺動可能に受け入れるように構成され、
前記ピン（５６）が、前記骨留め具（１６）の長手軸に交差する長手軸を画定するインプラントシステム（１０）。
【請求項２】
前記案内構造（４８）の前記第２の軸（７０）が、前記近位部（２０；７８）の前記長手軸（４４）に対して偏心して配向されている請求項１に記載のインプラントシステム（１０）。
【請求項３】
前記結合ユニット（１４；１１０）は、該結合ユニット（１４；１１０）が前記髄内釘（１２）の前記遠位部（２２）へ向かって移動したときに、前記ピン（５６）が、前記骨留め具（１６）の前記溝（３４）内に係合して前記骨留め具（１６）の該骨留め具（１６）の長手軸周りの回転を阻止するように、前記ピン（５６）を前記近位部（２０；７８）の前記長手軸（４４）の方向に前記遠位部（２２）へ向かって付勢する請求項１または請求項２に記載のインプラントシステム（１０）。
【請求項４】
前記近位部（２０）の前記案内構造（４８）が、前記髄内釘（１２）の外側に位置する請求項１から請求項３のいずれか一項に記載のインプラントシステム（１０）。
【請求項５】
前記ピン（５６）が、前記駆動部材（５８；９４）上に偏心して配置されている請求項１から請求項４のいずれか一項に記載のインプラントシステム（１０）。
【請求項６】
前記髄内釘（１２）が、前記髄内釘（１２）の長手軸に略沿ったチャネル（６４）を有する請求項１から請求項５のいずれか一項に記載のインプラントシステム（１０）。
【請求項７】
前記髄内釘（１２）の前記チャネル（６４）と、前記駆動部材（５８；９４）の前記貫通穴（６０；１０６）と、前記近位部（２０；７８）の前記穴（４６；８０；８４）とによって、前記髄内釘（１２）を貫通し、外科手術用ワイヤ（１１４）が貫通して挿入される管路（６６）が画定されている請求項６に記載のインプラントシステム（１０）。
【請求項８】
前記駆動部材（５８；９４）が、前記髄内釘（１２）とねじ締結可能な雄ねじ（６２；９６）を有する請求項１から請求項７のいずれか一項に記載のインプラントシステム（１０）。
【請求項９】
前記髄内釘（１２）の前記近位部（２０；７８）が雌ねじ（５０；８２）を有し、
前記駆動部材（５８；９４）の前記雄ねじ（６２；９６）が、前記近位部（２０；７８）の前記雌ねじ（５０；８２）と締結する請求項８に記載のインプラントシステム（１０）。
【請求項１０】
前記駆動部材（５８；９４）が、前記駆動部材（５８；９４）の円周溝（９７）内に配置されたリング（１１２）をさらに有する請求項１から請求項９のいずれか一項に記載のインプラントシステム（１０）。
【請求項１１】
前記駆動部材（５８）が、駆動力伝達部（７２）を有し、
前記ピン（５６）が、該ピン（５６）の長手方向を横切る方向に実質的に配置された溝
（７４）を有し、
前記駆動力伝達部（７２）が、前記ピン（５６）の前記溝（７４）内に移動可能に係合
する請求項１から請求項１０のいずれか一項に記載のインプラントシステム（１０）。
【請求項１２】
前記駆動力伝達部（７２）が、前記ピン（５６）の前記溝（７４）内に回転可能に支持されている請求項１１に記載のインプラントシステム（１０）。
【請求項１３】
前記駆動部材（９４）が、駆動力伝達部（１００）を有し、
前記ピン（５６）が、保持部（９０）を有する基板部材（８６）上に配置され、
前記駆動力伝達部（１００）が、前記保持部（９０）に移動可能に係合する請求項１から請求項１０のいずれか一項に記載のインプラントシステム（１０）。
【請求項１４】
前記基板部材（８６）が、外科手術用ワイヤ（１１４）を受け入れるための貫通穴（８８）を有する請求項１３に記載のインプラントシステム（１０）。
【請求項１５】
前記髄内釘（１２）が、前記髄内釘（１２）の長手軸に略沿ったチャネル（６４）を有し、
前記髄内釘（１２）の前記チャネル（６４）と、前記近位部（７８）の前記穴（８４）と、前記基板部材（８６）の前記貫通穴（８８）と、前記駆動部材（９４）の前記貫通穴（１０６）と、前記近位部（７８）の中心穴（８０）とが、外科手術用ワイヤ（１１４）が貫通して挿入される管路（６６）を画定する請求項１４に記載のインプラントシステム（１０）。
【請求項１６】
前記髄内釘（１２）の前記近位部（２０；７８）内に配置された保持器（５４）をさらに備え、
前記結合ユニット（１４；１１０）の近位方向における可動域が、前記保持器（５４）によって制限される請求項１から請求項１５のいずれか一項に記載のインプラントシステム（１０）。
【請求項１７】
前記近位部（２０；７８）の前記穴（４６；８４）および前記案内構造（４８）が、互いに隣接して配置されている請求項１から請求項１６のいずれか一項に記載のインプラントシステム（１０）。
【請求項１８】
前記近位部（２０；７８）の前記穴（４６；８４）が、前記髄内釘（１２）の内側に位置し、
前記近位部（２０；７８）の前記案内構造（４８）が、前記髄内釘（１２）の外側に位置する請求項１から請求項１７のいずれか一項に記載のインプラントシステム（１０）。
【請求項１９】
前記案内構造（４８）が、溝または穴として形成されている請求項１から請求項１８のいずれか一項に記載のインプラントシステム（１０）。
【請求項２０】
前記骨留め具（１６）を備える請求項１から請求項１９のいずれか一項に記載のインプラントシステム（１０）。
【請求項２１】
骨を固定するための整形外科手術で使用する髄内釘（１２）であって、
長手軸（４４）を画定する近位部（２０；７８）と、遠位部（２２）と、横穴（２６）とであって、前記近位部（２０；７８）が、第１の軸（６８）を画定する穴（４６；８４）と第２の軸（７０）を画定する案内構造（４８）とを有し、前記第１の軸（６８）および前記第２の軸（７０）が、前記髄内釘（１２）の前記近位部（２０；７８）の前記長手軸（４４）に対して略平行でありかつ互いに離間され、
前記髄内釘（１２）の前記近位部（２０；７８）内に係留されかつ移動可能に配置される結合ユニット（１４；１１０）であって、略円筒形のピン（５６）と、貫通穴（６０；１０６）を有する駆動部材（５８；９４）とを有する結合ユニット（１４；１１０）とを備え、
前記案内構造（４８）は、前記ピン（５６）が、前記髄内釘（１２）の前記横穴（２６）を貫通するように構成された骨留め具（１６）の溝（３４）内に係合可能なように、前記略円筒形のピン（５６）を摺動可能に受け入れるように構成され、
前記ピン（５６）が、前記骨留め具（１６）の長手軸に交差する長手軸を画定する髄内釘（１２）。
【請求項２２】
前記結合ユニット（１４；１１０）が、前記髄内釘（１２）の前記近位部（２０；７８）内に組み込まれている請求項２１に記載の髄内釘（１２）。
【請求項２３】
前記案内構造（４８）の前記第２の軸（７０）が、前記近位部（２０；７８）の前記長手軸（４４）に対して偏心して配向されている請求項２１または請求項２２に記載の髄内釘（１２）。
【請求項２４】
前記結合ユニット（１４；１１０）は、該結合ユニット（１４；１１０）が前記髄内釘（１２）の前記遠位部（２２）へ向かって移動するときに、前記ピン（５６）が、前記骨留め具（１６）の前記溝（３４）内に係合して前記骨留め具（１６）の該骨留め具（１６）の長手軸周りの回転を阻止するように、前記ピン（５６）を前記近位部（２０；７８）の前記長手軸（４４）の方向に前記遠位部（２２）へ向かって付勢するように構成されている請求項２１から請求項２３のいずれか一項に記載の髄内釘（１２）。
【請求項２５】
前記ピン（５６）が、前記駆動部材（５８；９４）上に偏心して配置されている請求項２１から請求項２４のいずれか一項に記載の髄内釘（１２）。
【請求項２６】
前記髄内釘（１２）が、該髄内釘（１２）の長手軸に略沿ったチャネル（６４）を有する請求項２１から請求項２５のいずれか一項に記載の髄内釘（１２）。
【請求項２７】
前記髄内釘（１２）の前記チャネル（６４）と、前記駆動部材（５８；９４）の前記貫通穴（６０；１０６）と、前記近位部（２０；７８）の前記穴（４６；８０；８４）とによって、前記髄内釘（１２）を貫通し、外科手術用ワイヤ（１１４）が貫通して挿入される管路（６６）が画定される請求項２６に記載の髄内釘（１２）。
【請求項２８】
前記駆動部材（５８；９４）が、前記髄内釘（１２）とねじ締結可能な雄ねじ（６２；９６）を有する請求項２１から請求項２７のいずれか一項に記載の髄内釘（１２）。
【請求項２９】
前記髄内釘（１２）の前記近位部（２０；７８）が、雌ねじ（５０；８２）を有し、
前記駆動部材（５８；９４）の前記雄ねじ（６２；９６）が、前記近位部（２０；７８）の前記雌ねじ（５０；８２）と締結する請求項２８に記載の髄内釘（１２）。
【請求項３０】
前記駆動部材（５８）が、駆動力伝達部（７２）を有し、
前記ピン（５６）が、該ピン（５６）の長手方向を横切る方向に実質的に配置された溝（７４）を有し、
前記駆動力伝達部（７２）が、前記ピン（５６）の前記溝（７４）内に移動可能に係合する請求項２１から請求項２９のいずれか一項に記載の髄内釘（１２）。
【請求項３１】
前記駆動部材（９４）が、駆動力伝達部（１００）を有し、
前記ピン（５６）が、保持部（９０）を有する基板部材（８６）上に配置され、
前記駆動力伝達部（１００）が、前記保持部（９０）に移動可能に係合する請求項２１から請求項２９のいずれか一項に記載の髄内釘（１２）。
【請求項３２】
前記基板部材（８６）が、外科手術用ワイヤ（１１４）を受け入れるための貫通穴（８８）を有する請求項３１に記載の髄内釘（１２）。
【請求項３３】
前記髄内釘（１２）が、該髄内釘（１２）の長手軸に略沿ったチャネル（６４）を有し、
前記髄内釘（１２）の前記チャネル（６４）と、前記近位部（７８）の前記穴（８４）と、前記基板部材（８６）の前記貫通穴（８８）と、前記駆動部材（９４）の前記貫通穴（１０６）と、前記近位部（７８）の中心穴（８０）とは、外科手術用ワイヤ（１１４）が貫通して挿入される管路（６６）を画定する請求項３２に記載の髄内釘（１２）。
【請求項３４】
前記髄内釘（１２）の前記近位部（２０；７８）内に配置された保持器（５４）をさらに備え、
前記結合ユニット（１４；１１０）の近位方向における可動域が、前記保持器（５４）によって制限される請求項２１から請求項３３のいずれか一項に記載の髄内釘（１２）。
【請求項３５】
前記近位部（２０；７８）の前記穴（４６；８４）および前記案内構造（４８）が、互いに隣接して配置されている請求項２１から請求項３４のいずれか一項に記載の髄内釘（１２）。
【請求項３６】
前記近位部（２０；７８）の前記穴（４６；８４）が、前記髄内釘（１２）の内側に位置し、
前記近位部（２０；７８）の前記案内構造（４８）が、前記髄内釘（１２）の外側に位置する請求項２１から請求項３５のいずれか一項に記載の髄内釘（１２）。
【請求項３７】
前記近位部（２０）の前記穴（４６）が、中心に位置し、
前記近位部の前記案内構造（４８）が、髄内釘（１２）の外側に位置する請求項２１から請求項３５のいずれか一項に記載の髄内釘（１２）。
【請求項３８】
前記案内構造（４８）が、溝または穴として形成されている請求項２１から請求項３７のいずれか一項に記載の髄内釘（１２）。
【発明の詳細な説明】
【技術分野】
【０００１】
本開示は一般に、整形外科手術で使用するインプラントシステムに関する。具体的には、本開示は、大腿骨などの骨を内固定するための髄内釘に関する。
【背景技術】
【０００２】
大腿骨骨折は一般に、大腿骨頸部および転子部で起こる。通常、転子部および転子下の大腿骨骨折は、現在のところ、髄内釘で治療され、この髄内釘は、ラグスクリュの形態で通常提供される大腿骨頸部スクリュなど骨留め具（ｂｏｎｅ  ｆａｓｔｅｎｅｒ）を受け入れるために、横穴を有する。髄内釘は、大腿骨の髄内管（ｉｎｔｒａｍｅｄｕｌｌａｒｙ  ｃａｎａｌ）に取り付けられ、ラグスクリュは、髄内釘の横穴を通り、大腿骨頸部を経て大腿骨頭部に入る。
【０００３】
ラグスクリュは、速くかつ確実な骨折治癒を可能とするために、骨折線をブリッジングすることによって大腿骨頭部にかかる荷重を釘シャフト部内へ移すように設計される。さらに、ラグスクリュは、大腿骨骨折の焼結（ｓｉｎｔｅｒｉｎｇ）に従って髄内釘内で摺動することができる。通常、髄内釘の穴にセットスクリュが挿入されて、ラグスクリュの回転および自由な内側偏位を防止する。
【０００４】
髄内釘は、キルシュナー鋼線などの外科手術用ワイヤ（ガイドワイヤ）を受け入れるために、その長手軸に沿って中心管路を含むことができる。外科手術用ワイヤは、髄内釘の挿入に先立って、大腿骨の髄腔に挿入される。
【０００５】
例えば、特許文献１は、髄内転子間骨折固定器具および取付けデバイスに関する。この髄内骨折固定器具は、ラグスクリュの形態をなす大腿骨頸部スクリュを受け入れるための横穴を有する髄内釘を含む。髄内釘の近位端部には、釘を通って同軸で延在して横穴に開口する、別の穴が設けられている。この釘の同軸穴の中に、セットスクリュが配置される。セットスクリュの下端部は、中央配置された突出部を有する。セットスクリュがその最終位置にあるときには、セットスクリュの中央突出部は、ラグスクリュのシャフト上に配置された長手方向に延在する溝のうちの１つと係合する。
【０００６】
特許文献２は、結合機構を有する髄内釘に関する。結合機構は、本体部材と、本体部材から横方向に延在する平形尖状部とを含む。さらに、髄内釘内で軸方向に延在する部分的にねじ付きのチャネルとねじ式係合（ｔｈｒｅａｄａｂｌｅ  ｅｎｇａｇｅｍｅｎｔ）するための短いボルトが、本体部材に回転可能に連結される。本体部材は、チャネルの溝に受け入れられるタブをさらに含み、それにより、タブと溝とが協働することで、チャネル内での本体部材の回転が防止される。本体部材が髄内釘の横穴を通じて挿入されたラグスクリュの方へ付勢されると、平形尖状部は、チャネル壁とラグスクリュとの間の空間にしっかりと嵌合するように、ラグスクリュの側面に接触し、かつラグスクリュの平坦部によって画定された空隙を埋める。
【０００７】
特許文献３は、分岐したロックを有する髄内釘に関する。特許文献２に記載の本体部材と同様に、スリーブ・ロックが、平形尖状部の形態をなす２つの横方向ロック・タブと、髄内釘のチャネルの溝内に係合する回転防止タブとを含む。スリーブ・ロックのロック・タブは、ラグスクリュ上に配置されたスリーブのロック・スロット内に係合する。
【０００８】
特許文献４は、近位部に固定穴を有する髄内釘に関する。釘の近位部はさらに、２つの横穴を有し、この横穴の中に、ラグスクリュと補助接続具が配置される。補助接続具は、髄内釘の固定穴にねじ込まれたセットスクリュとラグスクリュとの間の位置で釘を貫通するので、締付力を伝達するためのスペーサが、セットスクリュとラグスクリュとの間に挿入される。スペーサは、本体と、本体から長手方向に延在する離間した２つの脚部とを含む。セットスクリュが固定穴内のスペーサ上に置かれて固定穴にねじ込まれると、セットスクリュはスペーサ全体を押し下げ、脚部の下端部はラグスクリュの溝内に係合する。補助接続具は、スペーサの２つの脚部間に位置決めされ、また、セットスクリュの先端部に形成された中央ボスによってしっかりと保持され、スペーサの本体内に形成された開口部を通じて挿入される。
【０００９】
従来の髄内釘には、いくつかの欠点がある。貫通穴のないセットスクリュは、前もって髄内釘に組み付けることができず、したがって、ガイドワイヤを除去した後で、手術中に髄内釘に挿入しなければならない。この場合、比較的小さなセットスクリュを髄内釘のシャフトに挿入することが、面倒である。釘の近位端部で開口部に重なり合う軟組織が、セットスクリュの挿入およびねじの相互係合を妨げる可能性がある。したがって、セットスクリュが髄内釘内で動けなくなって、追加的な手術ステップのために手術時間が増大する場合がある。さらに、１つ以上の尖状部を有するセットスクリュは、ラグスクリュの自由な内側偏位を防止することができない。さらに、尖状部を有するセットスクリュの使用は、現状のラグスクリュ・シャフトの設計の変更を必要とする。現状のラグスクリュ軸の設計は、髄内釘内でのラグスクリュの画定された摺動を保証するために、セットスクリュのピンが係合することができる長手方向に延在する溝を提供するものである。
【先行技術文献】
【特許文献】
【００１０】
【特許文献１】米国特許第５１７６６８１（Ａ）号明細書
【特許文献２】米国特許第６８３５１９７（Ｂ２）号明細書
【特許文献３】米国特許第６６４８８８９（Ｂ２）号明細書
【特許文献４】米国特許第６４０６４７７（Ｂ１）号明細書
【発明の概要】
【００１１】
本開示の諸態様は、髄内釘および対応する骨留め具に関する外科的処置および移植を簡素化しかつ容易にするインプラントシステムの提供を対象とする。
【００１２】
第１の態様によれば、骨を固定するための整形外科手術で使用するインプラントシステムが提供される。インプラントシステムは、長手軸を画定する近位部と、遠位部と、横穴とを有する髄内釘を備える。近位部は、第１の軸を画定する穴と、第２の軸を画定する案内構造とを有する。第１の軸および第２の軸は、髄内釘の近位部の長手軸に対して略平行であり、かつ、互いに離間されている。さらに、インプラントシステムは、髄内釘の近位部内に移動可能に配置されるように構成された結合ユニットを備える。結合ユニットは、略円筒形のピンと、貫通穴を有する駆動部材とを有し、案内構造は、ピンが、髄内釘の横穴を貫通するように構成された骨留め具（ｂｏｎｅ  ｆａｓｔｅｎｅｒ）の溝内に係合可能なように、略円筒形のピンを摺動可能に受け入れるように構成されている。
【００１３】
上述の態様では、案内構造の第２の軸は、近位部の長手軸に対して偏心して配向されていてもよい。さらに、駆動部材の貫通穴は、中心に配置されていてもよい。駆動部材は、略円筒形のピンに移動可能に接続されていてもよい。髄内釘の近位部の横穴は、近位部の長手軸に対してある画定された角度を有する、角度の付いた穴として形成されていてもよい。
【００１４】
結合ユニットは、髄内釘の遠位部へ向かって移動したときに、ピンを近位部の長手軸の方向に遠位部へ向かって付勢するように構成し、それによって、ピンが、骨留め具の溝内に係合して、骨留め具が該骨留め具の長手軸周りに回転するのを防止することができるようになっていてもよい。
【００１５】
一実施態様においては、ピンは、骨留め具の長手軸に交差する長手軸を画定していてもよい。ピンは、シャフトと、球形、円形、円錐形、平面形、Ｕ形、またはＶ形の先端とを有するボルトとして形成されていてもよい。さらに、ピンは、駆動部材上に偏心して配置されていてもよい。
【００１６】
髄内釘は、髄内釘の長手軸に略沿ったチャネルを有していてもよい。この釘のチャネルは、円形または角のある形状の断面を有していてもよい。髄内釘のチャネルと、駆動部材の貫通穴と、髄内釘の近位部の穴とによって、髄内釘を貫通する管路を画定することができ、その結果、この管路を貫通して外科手術用ワイヤを挿入することができる。外科手術用ワイヤは、キルシュナー鋼線または任意の他の種のワイヤである、ガイドワイヤとすることができる。
【００１７】
ある可能な実施態様においては、駆動部材は、髄内釘と、例えば髄内釘の近位部と、ねじ締結を可能にするための、雄ねじを有していてもよい。駆動部材は、駆動部材の円周溝内に配置された（例えば合成材料で作られた）リングをさらに有することができる。あるいは、リングは、駆動部材の雄ねじ上に（例えば、雄ねじの溝内に）配置されていてもよい。リングの合成材料は、変形可能なものであってもよい。したがって、リングは、変形可能なプラスチック・リングとすることができる。髄内釘の近位部は、雌ねじを有していてもよく、駆動部材の雄ねじは、近位部の雌ねじと締結することができる。さらに、駆動部材は、短いボルトとして形成されていてもよい。
【００１８】
駆動部材は、駆動力伝達部を有していてもよく、また、ピンは、該ピンの長手方向を横切る方向に実質的に配置された溝を有していてもよく、駆動力伝達部は、（例えば、駆動部材が回転することによって、ピンを髄内釘の近位部の長手軸の方向に移動させることができるように）ピンの溝内に移動可能に係合することができる。駆動力伝達部は、ピンの溝内に回転可能に支持されうる。
【００１９】
別の実施態様では、駆動部材は、駆動力伝達部を有していてもよく、また、ピンは、保持部を有する基板部材上に配置してもよく、駆動力伝達部は、保持部に移動可能に係合してもよい。駆動部材が回転することによって、ピンを髄内釘の近位部の長手軸の方向に移動させることができる。
【００２０】
上述の態様では、基板部材は、外科手術用ワイヤを受け入れるための貫通穴を有していてもよい。基板部材は、円形であってもよく、また、貫通穴は、中央にまたは偏心して配向していてもよい。さらに、髄内釘のチャネル、髄内釘の近位部の穴、基板部材の貫通穴、駆動部材の貫通穴、および近位部の中央穴は、管路を画定することができ、その結果、その管路を通って外科手術用ワイヤを挿入することができる。
【００２１】
インプラントシステムは、髄内釘の近位部内に配置された保持器をさらに備えていてもよく、この場合に近位方向における結合ユニットの可動域を、保持器によって制限することができる。保持器は、規定のばね定数を有する止め輪またはばね輪として形成してもよい。保持器はさらに、円形状を有することができる。
【００２２】
近位部の穴および案内構造は、互いに隣接して、例えば横断方向に隣接して配置される。髄内釘の近位部の穴は、同軸で配置することもできる。さらに、髄内釘の近位部の穴が髄内釘の内側に位置し、髄内釘の近位部の案内構造が髄内釘の外側に位置していてもよい。したがって、髄内釘の近位部の穴および案内構造は、髄内釘の近位部の長手軸に対して偏心して配向されていてもよい。さらに、案内構造は、溝または穴として形成されうる。案内構造は、Ｖ形、Ｕ形、またはＣ形などの断面を有していてもよい。
【００２３】
インプラントシステムは、骨留め具を備えていてもよい。骨留め具は、ラグスクリュもしくは大腿骨頸部スクリュ、または任意の種のブレードとして形成することができる。
【００２４】
さらなる態様によれば、骨を固定するための整形外科手術で使用する髄内釘が提供される。髄内釘は、長手軸を画定する近位部と、遠位部と、横穴とを備える。近位部は、第１の軸を画定する穴と、第２の軸を画定する案内構造とを有する。第１の軸および第２の軸は、髄内釘の近位部の長手軸に対して略平行でありかつ互いに離間されている。髄内釘はさらに、髄内釘の近位部内に係留されかつ移動可能に配置された結合ユニットを備える。結合ユニットは、略円筒形のピンと、貫通穴を有する駆動部材とを有し、案内構造は、略円筒形のピンを摺動可能に受け入れるように構成され、その結果、ピンは、髄内釘の横穴を貫通するように構成された骨留め具の溝内に係合することができる。
【００２５】
結合ユニットは、髄内釘の近位部内に予め組み立てられてもよい。したがって、駆動部材および略円筒形のピンは、髄内釘の近位部内に予め組み立てられてもよい。駆動部材は、略円筒形のピンに移動可能に接続されてもよい。
【００２６】
髄内釘、その近位部、結合ユニット、略円筒形のピン、その基板部材、および／または駆動部材は、全体的に上述したようにまた以下で述べるように構成されうる。髄内釘はさらに、管路、保持器、および／または骨留め具を有することができ、これらは全体的に上述したようにまた以下で述べるように構成されうる。
【００２７】
さらなる態様によれば、骨の骨折固定方法が提供され、この方法は、骨の髄腔にガイドワイヤを挿入するステップと、管状化された髄内釘をガイドワイヤ上を沿って骨の髄腔に挿入するステップであって、髄内釘が、長手軸を画定する近位部と、遠位部と、横穴とであって、近位部が、第１の軸を画定する穴と第２の軸を画定する案内構造とを有し、第１の軸および第２の軸が、髄内釘の近位部の長手軸に対して略平行でありかつ互いに離間された、長手軸を画定する近位部と、遠位部と、横穴と、髄内釘の近位部内に係留されかつ移動可能に配置される結合ユニットであって、略円筒形のピンと貫通穴を有する駆動部材とを有する結合ユニットとを備え、案内構造が略円筒形のピンを摺動可能に受け入れるように構成されたステップと、ガイドワイヤを取り除くステップと、骨折を固定するために髄内釘の横穴を貫通して骨留め具を骨に挿入するステップと、結合ユニットを駆動させてピンと髄内釘の横穴を貫通している骨留め具との係合をもたらし、それによって骨留め具の回転を阻止するステップとを含む。
【００２８】
髄内釘の近位部の穴と案内構造とが互いに離間され、また、例えばセットスクリュの形態をなす結合ユニットが、略円筒形のピンと、貫通穴を有する駆動部材とを有し、案内構造が円筒形のピンを摺動可能に受け入れるので、結合ユニット（すなわち、ピンおよび駆動部材）を髄内釘内に予め組み立てるまたは組み込むことができる一方で、外科手術用ワイヤの同時挿入が可能になる。具体的には、大腿骨の髄内管内での髄内釘の外科的処置および移植が、簡素化されかつ容易になる。さらに、ピンは骨留め具に係合することができるので、現状の骨留め具の設計を変更することは、少しも必要とされない。
【００２９】
本開示の上記その他の特徴、態様、および利点は、添付の図面と併せ以下により詳細に説明することから、より明らかになるであろう。
【図面の簡単な説明】
【００３０】
【図１】インプラントシステムの一実施形態の断面図である。
【図２】図１に示されているインプラントシステム実施形態の近位部の詳細図である。
【図３】髄内釘の近位部の一代替実施形態の断面図である。
【図４】代替的なピン実施形態の上面、側面、および底面を示す図である。
【図５】代替的な駆動部材実施形態の側面図である。
【図６】図４に示されているピン実施形態と図５に示されている駆動部材実施形態とを含む、図３に示されている近位部の代替実施形態の断面図である。
【図７】ガイドワイヤを含む、図６に示されている組立ての断面図である。
【発明を実施するための形態】
【００３１】
図１を参照すると、大腿骨（図１には図示せず）などの骨を固定するための整形外科手術で使用するインプラントシステム１０の一実施形態の断面図が示されている。インプラントシステム１０は、髄内釘１２と、結合ユニット１４と、骨留め具１６とを備える。結合ユニット１４は、骨留め具１６を髄内釘１２に結合する。髄内釘１２は、大腿骨の内腔（髄腔）すなわち大腿骨の髄内管に挿入することが可能な棒状本体１８を有する。髄内釘１２の棒状本体１８は、近位部２０と、近位部２０よりも長い遠位部２２と、近位部２０と遠位部２２との間に位置する湾曲部２４とを有する。言い換えれば、湾曲部２４は、近位部２０と遠位部２２とを接続している。
【００３２】
図１に示されているように、髄内釘１２は、近位部２０に位置する横穴２６を有する。横穴２６の軸は、横穴２６が角度の付いた開口部２６を画定するように、髄内釘の長手軸に対してある角度を有する。髄内釘１２の近位部２０は、その中に横穴２６を設けるのに十分な直径を有するが、髄内釘１２の遠位部２２は、髄内管への遠位部２２の挿入を容易にするために、大腿骨の髄腔の形状に適合した、近位部２０よりも小さい直径を有する。さらに、遠位部２２は、遠位部２２において髄内釘１２の長手軸に対して直角に延びる貫通穴２８を有する。貫通穴２８は、髄内釘１２を骨にしっかりと固定するために、髄内釘１２の遠位部２２の端に形成されてロックスクリュなどの骨留め具を受け入れる。
【００３３】
図１に示されているインプラントシステム１０の実施形態では、骨留め具１６は、ラグスクリュ１６の形態をなす大腿骨頸部スクリュである。ラグスクリュ１６は、髄内釘１２の横穴２６を貫通するように構成されている。ラグスクリュ１６は、ねじ、例えば並目ねじを有する前方部３０と、後方部３２とを有する。後方部３２には、ラグスクリュ１６の軸に沿って後方シャフト部３２の周面上に配置された、長手方向に延在する複数の溝３４（図１には２つ示されている）が設けられている。通常、４つの溝３４が、ラグスクリュ１６の長手軸周りに９０°の間隔を置いて、ラグスクリュ１６の周面上に配置される。各溝３４が、浅端および深端を有する傾斜路を画定する。上昇傾斜路は、後方部３２の後端の浅端からねじ付き前方部３０に向かって深端まで延びている。さらに、ラグスクリュ１６は、該ラグスクリュ１６の長手軸に沿った中心管路３６を有する。ラグスクリュ１６の後方部３２は、後端に、ねじ回しまたは（例えば、棒レンチの形態の）レンチを受け入れるための同軸穴３８および凹部４０（例えば、ヘクサロビュラ穴（ｈｅｘａｌｏｂｕｌａｒ  ｉｎｔｅｒｎａｌ  ｄｒｉｖｉｎｇ  ｆｅａｔｕｒｅ））を有する。
【００３４】
図１に示されているように、髄内釘１２の近位部２０は、エンド・キャップまたは保持器具や標的器具などの用具（図１には図示せず）を受け入れるための凹部４２を、その上端に有する。近位部２０は、長手軸４４を画定し、さらに穴４６および案内構造４８を有する。本実施形態では、近位部２０の穴４６は、近位部２０の長手軸４４と同軸である。さらに図１に示されているように、穴４６は、雌ねじ５０と、止め輪の形態である保持器５４を受け入れるための凹部５２とを有する。
【００３５】
結合ユニット１４は、髄内釘１２の近位部２０内に予め組み立てられかつ移動可能に配置される。結合ユニット１４は、略円筒形のピン５６、および貫通穴６０を有する駆動部材５８を有する。したがって、結合ユニット１４は、駆動部材５８とそれに接続されたピン５６とによって画定される。さらに、駆動部材５８は、略円筒形のピン５６に移動可能に接続される。駆動部材５８の貫通穴６０は、近位部２０の長手軸４４と一致する軸を有する中心貫通穴である。駆動部材５８はさらに、髄内釘１２、例えば、図１に示されているように近位部２０とねじ締結を可能にするための雄ねじ６２を有する。近位部２０の雌ねじ５０は、駆動部材５８の雄ねじ６２と噛み合う。本実施形態では、結合ユニット１４の駆動部材５８は、髄内釘１２の近位部２０の穴４６内に移動可能に配置される。したがって、結合ユニット１４は、髄内釘１２の近位部２０内に係留される。やはり図１に示されているように、案内構造４８が結合ユニット１４の略円筒形のピン５６を摺動可能に受け入れ、その結果、ピン５６はラグスクリュ１６の溝３４内に係合することができる。
【００３６】
さらに図１に示されているように、髄内釘１２は、髄内釘１２の長手軸に略沿ったチャネル６４を有する。したがって、髄内釘１２のチャネル６４、駆動部材５８の貫通穴６０、および近位部２０の穴４６によって、髄内釘１２を貫通する管路６６が画定され、その結果、管路６６を通じて外科手術用ワイヤ（図１には図示せず）を挿入することができる。
【００３７】
図２は、図１に示された髄内釘１２の近位部２０の詳細図Ａを示す。図２に示されているように、近位部２０の穴４６は第１の軸６８を画定し、この第１の軸６８は、この場合は近位部２０の長手軸４４と一致する。さらに、案内構造４８は、第２の軸７０を画定する。第１の軸６８および第２の軸７０は、髄内釘１２の近位部２０の長手軸４４に対して略平行である、かつ互いに離間される。さらに、案内構造４８の第２の軸７０は、近位部２０の長手軸４４に対して偏心して配向される。したがって、近位部２０の穴４６と案内構造４８とは、互いに隣接して配置される。図１および図２に示されている本実施形態では、近位部２０の穴４６は、中心に位置し、近位部２０の案内構造４８は、髄内釘１２の外側に位置する。近位部２０の穴４６は、髄内釘１２のチャネル６４内のその下端で終わっている。案内構造４８は、近位部２０の横穴２６内のその下端で終わっている。本実施形態では、「下端」という用語は、髄内釘１２の遠位部２２に近い方の端を意味し、「上端」という用語は下端の反対である。さらに、案内構造４８は、円形状（例えば、Ｃ形）の断面を有する溝として形成されている。
【００３８】
やはり図２に示されているように、結合ユニット１４のピン５６は、駆動部材５８上に偏心して配置されている。すなわち、偏心位置に（例えば、外側に）配置されている。さらに、ピン５６は、ラグスクリュ１６の長手軸に交差する長手軸を画定する。ピン５６は、円筒形のシャフト（ここでは、円柱）と、その下端にボール形（すなわち、円形）の先端とを有するボルトとして形成される。駆動部材５８はさらに、駆動部材５８の運動をピン５６に伝達するための駆動力伝達部７２を有する。ピンは、その上端に溝７４を有する。ピン５６の溝７４は、ピン５６の長手方向を横切る方向に実質的に配置されている。駆動部材５８の駆動力伝達部７２は、ピン５６の溝７４内に移動可能に係合する。この目的のために、駆動力伝達部７２は、ピン５６の溝７４内に回転可能に支持される。したがって、駆動部材５８が回転すると、ピン５６が近位部２０の長手軸４４の方向に移動する。
【００３９】
結合ユニット１４の駆動部材５８は、用具、ねじ回し、レンチ、などを受け入れるための（例えば、ヘクサロビュラ穴の形態の）凹部を有する円錐の形態をなす、受入れ部７６を有する。そのような用具を使用して駆動部材５８を動かすことによって、駆動部材５８の雄ねじ６２が近位部２０の穴４６の雌ねじ５０と噛み合うので、結合ユニット１４全体が髄内釘１２の近位部２０の長手軸４４に沿って移動する。言い換えれば、髄内釘１２の近位部２０内の結合ユニット１４の位置とそのピン５６の位置は、結合ユニット１４の駆動部材５４を長手軸４４に沿ってねじ込むことによって調整することができる。
【００４０】
図２に示されているように、近位方向における結合ユニット１４の可動域（すなわち、動き）は、保持器５４によって制限される。止め輪の形態をなす保持器５４は、凹部５２内に係合する。凹部５２は、髄内釘１２の近位部２０内の円周溝として形成されて、結合ユニット１４およびその駆動部材５８ならびにピン５６が意図せずに分解することを防ぐ。
【００４１】
結合ユニット１４が髄内釘１２の遠位部２２へ向かって移動すると、結合ユニット１４（具体的には、結合ユニット１４の駆動部材５８）は、ピン５６を近位部２０の長手軸４４の方向に髄内釘１２の遠位部２２へ向かって付勢する。したがって、結合ユニット１４のピン５６は、案内構造４８内でラグスクリュ１６へ向かって摺動する。最終位置では（図２に示されているように）、ピン５６は、ラグスクリュ１６の溝３４内に係合して、ラグスクリュ１６がその長手軸周りに回転するのを防止する。
【００４２】
図１および図２に示されているように、外側に配置された偏心したピン５６によって、ラグスクリュ１６の溝３４内での係合が可能になる。髄内釘１２の管６４と、駆動部材５８の中心貫通穴６０と、近位部２０の穴４６とによって形成された中央の管路６６によって、ガイドワイヤの同時挿入が可能になる。
【００４３】
外科的処置中、髄内釘１２は、骨、例えば大腿骨の髄内管内に位置決めされて配置される。次いで、ラグスクリュ１６を受け入れるために、大腿骨および大腿骨の頸部を貫いて大腿骨の頭部内へと横方向に穴があけられる。次いで、用具、例えばねじ回しを操作することによって、ラグスクリュ１６は、該ラグスクリュ１６の長手方向溝３４のうちの１つが最上位置に位置合わせされるように髄内釘１２の横穴２６を通って所定の位置にねじ込まれる。次いで、髄内釘１２の近位部２０内に予め組み立てられた結合ユニット１４の駆動部材５８が、ピン５６の下端がラグスクリュ１６の溝３４のうちの１つの溝３４内に係合されるまで、下方に向かうように（すなわち、近位部２０の長手軸４４の方向に髄内釘１２の遠位部２２に向かって）ねじ回しを使用して回転される。
【００４４】
結合ユニット１４が完全には締結されていない（すなわち、結合ユニット１４の駆動部材５８が完全には締結されていない）ならば、ラグスクリュ１６は、横穴２６内で外方向（図１および図２では右へ）にのみ摺動することができるが、その長手軸周りでの回転に対してはロックされる。ラグスクリュ１６は、結合ユニット１４によって（すなわち、結合ユニット１４のピン５６によって）回転に抗した状態に保持されるので、ラグスクリュ１６は、単に横穴２６を通って摺動して、大腿骨の頭部を引っ張って骨の残りの部分と近接係合させる。ラグスクリュ１６の溝３４の上昇傾斜路によって、髄内釘１２内でラグスクリュ１６が勝手に内側へ（図１および図２では左へ）摺動することが防止される。
【００４５】
図３〜図７は、代替的な結合ユニット実施形態を有する近位部の別の実施形態を示しており、この実施形態は、図１に示されているインプラントシステム１０の髄内釘１２で使用するために、必要に応じて（例えば、形状、長さ、幅、厚さ、などについて）適合させることができる。
【００４６】
図３は、髄内釘の近位部７８の代替実施形態の断面図を示している。近位部７８は、雌ねじ８２を有する中心穴８０を有する。近位部７８はさらに、中心穴８０内に、保持器５４を受け入れるための溝５２の形態をなす凹部５２を有する。さらに、近位部７８はまた、エンド・キャップまたは保持器具や標的器具などの用具（図３には図示せず）を受け入れるための凹部４２を、その上端に有する。
【００４７】
図３に示されているように、案内構造４８が、髄内釘の外側（図３では右側）に位置する穴４８として形成されている。案内構造４８は、近位部７８の中心穴８０内のその上端と、横穴２６内のその下端で終わっている。この実施形態でも同様に、「下端」という用語は、髄内釘の遠位部に近い方の端を意味し、「上端」という用語は、下端の反対側である。さらに図３に示されているように、近位部７８は、案内構造４８に隣接して配置された穴８４を有する。近位部７８の穴８４もまた、中心穴８０内のその上端と、髄内釘の横穴２６内のその下端で終わっている。さらに、穴８４は第１の軸６８を画定し、また、案内構造４８は第２の軸７０を画定し、図３に示されているように、第１の軸６８および第２の軸７０は、近位部７８の長手軸４４に対し略平行であり、かつ、互いに離間されている（ここでは、横断方向に互いに離間されている）。
【００４８】
図４は、ピン５６が配置される板８６の形態をなす基板部材８６を有する、代替的なピン実施形態の底面図ａ）、側面図ｂ）、および上面図ｃ）を示している。本実施形態では、ピン５６は板８６と一体化され（すなわち、一体的に形成され）ている。ピンは、図１および図２に関連して全体的に上述したように構成される。板８６は、円形状を有し、かつ、外科手術用ワイヤまたはガイドワイヤを受け入れるための貫通穴８８を有する。ピン５６および貫通穴８８は、板８６上に偏心して配置されている。
【００４９】
板８６はさらに、保持部９０を有する。保持部９０は、ピン５６が配置される下面とは反対側の上面上に配置されている。保持部９０は、図４の側面図ｂ）に示されるように、板８６から延び、Ｌ形の断面を有する。さらに、保持部９０は、図４の上面図ｃ）に示されるように、板８６の外周に沿って弧を形成する。この目的のために、保持部９０によって形成された弧は、１８０°以下にわたって延びていてもよい。したがって、板８６とその保持部９０は、以下で説明するように、駆動部材の一部分を受け入れるための円形溝９２を形成する。
【００５０】
図５を参照すると、短いボルトの形態をなす駆動部材９４の別の実施形態の側面図が示されている。駆動部材９４は、その外周面９８上に雄ねじ９６を有する。駆動部材９４の雄ねじ９６は、円周溝９７によって中断されている。円周溝９７は、合成材料で作られたリング（図５には図示せず）を受け入れることができる。駆動部材９４はさらに、駆動力伝達部１００を有する。駆動力伝達部１００は、駆動部材９４上に配置されたフランジとして形成され、駆動力伝達部１００の直径は、駆動部材９４のシャフト部１０２の直径よりもわずかに大きい。したがって、駆動部材９４の駆動力伝達部１００とシャフト部１０２とによって、円周段差１０４が画定される。駆動力伝達部１００は、板８６の保持部９０と移動可能に係合することができ、このときに駆動部材９４の段差１０４は、保持部９０の円周溝９２内に係合する。駆動部材９４はさらに、ガイドワイヤを受け入れるための中心貫通穴１０６と、ねじ回し、レンチ、などのような用具を受け入れるための（例えば、ヘクサロビュラ穴または内部六角形の形態をなす）凹部１０８とを有する。
【００５１】
図６および図７に示されているように、駆動部材９４と、ピン５６を有する板８６とによって結合ユニット１１０が形成され、駆動部材９４は、上記のように板８６に移動可能に接続されている。さらに、結合ユニット１１０、すなわち駆動部材９４およびピン５６を有する板８６は、髄内釘の近位部７８内に予め組み立てられる。髄内釘の近位部７８の案内構造４８は、ピン５６の直径よりもわずかに大きい直径を有し、その結果、穴４８内でのピン５６の最適な案内および摺動がそれぞれ保証される。図６に示されているように、結合ユニット１１０のピン５６は、予め組み立てられた形態で案内構造４８内に配置される。さらに、結合ユニット１１０の駆動部材９４の雄ねじ９６が、髄内釘の近位部７８の中心穴８０の雌ねじ８２と噛み合い、その結果、結合ユニット１１０全体が、髄内釘の近位部７８内に係留されかつ移動可能に配置される。したがって、結合ユニット１１０の高さ調整と、これにともなうピン５６の高さ調整は、図１および図２に関連して全体的に上述したように、また以下で説明するように、駆動部材９４によって行われる。結合ユニット１１０の意図せぬ緩みを防ぐために、結合ユニット１１０の駆動部材９４は、図６および図７に示されているように、駆動部材９４の円周溝９７に配置された合成材料で作られたリング１１２を有する。さらに、結合ユニット１１０の意図せぬ分解、または結合ユニット１１０の部品（駆動部材９４、およびピン５６を有する板８６）の意図せぬ分解を防ぐために、髄内釘の近位部７８の中心穴８０内の溝５２として形成された凹部５２の中に、保持器５４が位置決めされて係合する。したがって、保持器５４は、結合ユニット１１０の近位方向における可動域を制限するリミッタとして機能する。
【００５２】
図６および図７に示されているように、駆動部材９４の駆動力伝達部１００は、板８６の保持部９０上に係合する。板８６は、髄内釘の近位部７８内の中心に挿入されて、結合ユニット１１０のピン５６が安定して回転するようにする。したがって、結合ユニット１１０の駆動部材９４が回転すると、案内構造４８内に摺動可能に受け入れられているピン５６が、髄内釘の近位部７８の長手軸４４の方向に移動する。駆動部材９４の回転は、駆動部材９４の凹部１０８内に係合するねじ回しなどの用具によって行われる。結合ユニット１１０が髄内釘の近位部７８の長手軸４４に沿って移動すると、結合ユニット１１０（具体的には、結合ユニット１１０の駆動部材９４）は、ピン５６を、案内構造４８を通って長手軸４４の方向に髄内釘の遠位部に向かって付勢し、その結果、ピン５６は、ラグスクリュの溝内に係合して、ラグスクリュがその長手軸周りに回転するのを防止する。
【００５３】
さらに図６および図７に示されるように、髄内釘のチャネルと、髄内釘の近位部７８の穴８４と、板８６の貫通穴８８と、駆動部材９４の貫通穴１０６と、近位部７８の中心穴８０とは、管路を画定する。図７に示されるように、この管路を通じてガイドワイヤ１１４を挿入することができる。
【００５４】
骨の骨折固定をする例示的な方法では、最初にガイドワイヤ１１４が骨の髄腔に挿入される。次いで、管状髄内釘１２がガイドワイヤ１１４上を沿って骨の髄腔に挿入される。髄内釘１２は、全体的に上記で説明したように、近位部２０または７８と、横穴２６と、結合ユニット１４または１１０とを有する。次いで、ガイドワイヤ１１４が取り除かれ、骨折部を固定するために、骨留め具１６が髄内釘１２の横穴２６を通って骨に挿入される。最後に、髄内釘１２の結合ユニットが動かされて、ピン５６と髄内釘１２の横穴２６を貫通している骨留め具１６との係合をもたらし、それにより骨留め具１６の回転が阻止される。
【００５５】
髄内釘の近位部、ならびに駆動部材およびピンを有する結合ユニットは、上述のように構成されているので、結合ユニットは、ガイドワイヤの同時挿入／通過を可能にしながらも、髄内釘内に予め組み立てるまたは予め組み込むことができる。髄内釘のチャネル、髄内釘の近位部の（１つ以上の）穴、および結合ユニットの（１つ以上の）貫通穴（これらは一緒に管路を画定する）は、予め組み立てられたユニットおよび髄内釘を完全に通してガイドワイヤを挿入することを可能にするために、略一直線に並ぶ。したがって、ガイドワイヤは、予め組み立てられた結合ユニットを有する髄内釘を例えば大腿骨の髄内管の中へ案内するために、使用することができる。したがって、結合ユニットは、手術中に組み立てる必要がない。それゆえ、外科医によって行われる必要がある手術ステップが減り、それにより、外科的処置および大腿骨の髄内管内での髄内釘の移植が、容易になりかつ簡易化される。このため、手術時間が短縮する。髄内釘には、髄内釘の近位部の中空部（穴）内に予め組み立てられる結合ユニット（ピン、およびピンに移動可能に接続された駆動部材を有する）が備えられているので、髄内釘の移植に関わる時間、および外科医が扱わなければならない部品の数が少なくなる。
【００５６】
上述のインプラントシステムの全ての部品は、現在の工作機械を用いて容易かつ廉価に製造することができるものである。さらに、ピンは骨留め具の溝内に係合することができるので、現在の骨留め具を変更または交換することは、少しも必要とされない。ガイドワイヤは、髄内釘が曲がることによって、髄内釘内で偏心位置に（例えば、内側に）それるので、結合ユニットのピンと特に髄内釘の近位部の穴とを偏心配置すると、髄内釘内のガイドワイヤの囲い込みが促進される。
【００５７】
髄内釘の棒状本体は、図面に示された実施形態では、遠位部および湾曲部を有するが、釘本体は、骨を固定するためおよび例えば大腿骨の髄内管へ挿入するための整形外科手術で使用するために、必要に応じて（例えば、形状、長さ、幅、厚さ、などについて）構成することができる。したがって、髄内釘は、様々な用途に適合させることができ、したがって、様々な形状を有することができる。さらに、本明細書に示したようなねじは１条ねじであるが、これらは多条ねじ（例えば、２条ねじ）とすることもできる。
【００５８】
本明細書で説明したような骨留め具はラグスクリュとして形成されているが、骨留め具は、任意のタイプのもの、例えば大腿骨頸部スクリュや任意の種のブレードとすることができ、また、必要に応じて様々な用途に適合させることができる。したがって、骨留め具は、様々な直径、長さ、形状、またはねじを有し得る。さらに、上述の骨留め具およびインプラントは一般に、ステンレス鋼、チタン、または任意の他の生体適合性材料で作ることができる。
【００５９】
上記の実施形態は、骨スクリュおよび髄内釘に関連して例示的に説明されてきたが、本明細書に提示された技法が、他のタイプの（棒様またはピン様のシャフトを有する骨ペグ、キルシュナー鋼線などのワイヤ様の骨留め具、などのような）骨留め具、および他のタイプの（骨プレート、骨延長器、などのような）インプラントと組み合わせて実施することもできることは、容易に理解されよう。したがって、本開示は、いかなるタイプの骨留め具にも、またはいかなるタイプのインプラントにも、限定されるものではない。
【００６０】
添付の図面と併せて上記の説明で述べた特徴は、容易に組み合わせることができ、その結果、様々な実施形態がもたらされる。したがって、上述の開示がいろいろな形で変更可能であることが、理解されよう。そのような変形形態は、本発明の範囲からの逸脱と見なされるべきではなく、あらゆる修正形態が以下の特許請求の範囲内に含まれることが意図されている。
【図１】
0005913376.tif 000002
【図２】
0005913376.tif 000003
【図３】
0005913376.tif 000004
【図４】
0005913376.tif 000005
【図５】
0005913376.tif 000006
【図６】
0005913376.tif 000007
【図７】
0005913376.tif 000008